(57)【要約】【課題】入力インピーダンスが伝送信号の周波数成分に対して高インピーダンスであり直流電源電流に対して低インピーダンスになる電源回路を、インダクタンスが小さいインダクタを用いて構成した電力線通信用回路を提供する。【解決手段】電力線通信用回路３ａの電源回路５ａは、コレクタが高電圧側ライン１５に接続され、エミッタが出力部１７にインダクタＬ１を介して接続されたトランジスタＱ１と、コレクタがグラウンドライン１６に接続され、エミッタがインダクタＬ２を介して出力部１７に接続されたトランジスタＱ２とを有するプッシュプルエミッタフォロア出力回路１８と、高電圧側ライン１５とグラウンドライン１６との間の電圧を分圧して基準電圧Ｖｒｅｆを生成する抵抗Ｒ３，Ｒ４と、基準電圧Ｖｒｅｆに基づいてトランジスタＱ１，Ｑ２のベース電圧を生成し、出力部１７に基準電圧Ｖｒｅｆに応じたＤＣ電源電圧Ｖｏｕｔを生じさせる電圧制御回路２０とを備える。【選択図】  図２
2004260395.tif 000002
【特許請求の範囲】
【請求項１】
電源供給及び通信に共用される２線式の通信線と機器との間に接続され、前記通信線を介して機器間の通信を行うために用いられる電力線通信用回路であって、
前記通信線へ信号を送信する送信回路と、
前記通信線から信号を受信する受信回路と、
前記通信線から電源供給を受けると共に前記送信回路及び前記受信回路のうち少なくとも一つに動作用電源を供給する電源回路とを備え、
前記電源回路は、コレクタが前記通信線の他方よりも電圧が高い高電圧側に接続され、エミッタが前記動作用電源を出力するための出力部に第１のインダクタを介して接続された第１のトランジスタと、コレクタが前記通信線の高電圧側よりも電圧が低い低電圧側に接続され、エミッタが第２のインダクタを介して前記出力部に接続された第２のトランジスタとを有するプッシュプルエミッタフォロア出力回路と、
前記通信線間の電圧を分圧して所定の基準電圧を生成する分圧抵抗と、
前記基準電圧に基づいて前記第１及び第２のトランジスタのベース電圧を生成し、前記プッシュプルエミッタフォロア出力回路の出力部に前記基準電圧に応じた電圧を生じさせる電圧制御回路とを備えることを特徴とする電力線通信用回路。
【請求項２】
前記電圧制御回路は、ベースに前記基準電圧が供給され、
エミッタが、前記第１のトランジスタのベースに接続されると共に、電流を制限する第１の電流制限手段を介して前記通信線の高電圧側に接続され、コレクタが前記通信線の低電圧側に接続された第３のトランジスタと、
ベースに前記基準電圧が導かれ、エミッタが前記第２のトランジスタのベースに接続されると共に、電流を制限する第２の電流制限手段を介して前記通信線の低電圧側に接続され、コレクタが前記通信線の高電圧側に接続された第４のトランジスタとを備えることを特徴とする請求項１記載の電力線通信用回路。
【請求項３】
前記第１の電流制限手段及び第２の電流制限手段のうち少なくとも一つは、一定の電流を流す定電流回路であることを特徴とする請求項２記載の電力線通信用回路。
【請求項４】
前記第１の電流制限手段は、前記動作用電源から第１の定電流を生成する第１の定電流源と、前記通信線の高電圧側と前記第３のトランジスタのエミッタとの間に介設されると共に、前記第１の定電流に応じた定電流を前記第３のトランジスタのエミッタへ出力する第１のカレントミラー回路とを備える定電流回路であることを特徴とする請求項３記載の電力線通信用回路。
【請求項５】
前記第２の電流制限手段は、前記動作用電源から第２の定電流を生成する第２の定電流源と、前記通信線の低電圧側と前記第４のトランジスタのエミッタとの間に介設されると共に、前記第２の定電流に応じた定電流を前記第４のトランジスタのエミッタへ出力する第２のカレントミラー回路とを備える定電流回路であることを特徴とする請求項４記載の電力線通信用回路。
【請求項６】
前記第２のカレントミラー回路は、第１のミラー出力トランジスタと、第２のミラー出力トランジスタとを備えた２連出力形のカレントミラー回路であり、
前記第１のミラー出力トランジスタは、前記通信線の低圧側と前記第１のカレントミラー回路との間に介設され、
前記第２のミラー出力トランジスタは、前記通信線の低圧側と前記第４のトランジスタのエミッタとの間に介設され、
前記第１の定電流源は、前記第１のミラー出力トランジスタにより流された電流を、前記第１の定電流として前記第１のカレントミラー回路に流すものであることを特徴とする請求項５記載の電力線通信用回路。
【請求項７】
前記第１のカレントミラー回路と前記第１のミラー出力トランジスタとの間に、ベースが前記出力部に接続された第５のトランジスタが介設されたことを特徴とする請求項６記載の電力線通信用回路。
【請求項８】
前記通信線の高電圧側と前記第１の電流制限手段との間、及び前記通信線の低電圧側と前記第２の電流制限手段との間の少なくとも１箇所に、前記信号が有する周波数成分に対して高インピーダンスになるフィルタが介設されたことを特徴とする請求項２〜７のいずれかに記載の電力線通信用回路。
【発明の詳細な説明】
【０００１】
【発明の属する技術分野】
本発明は、電力線通信用回路に関し、持に、電源供給及び通信に共用される２線式の通信線と機器との間に接続され、通信線を介して機器間の通信を行うために用いられる電力線通信用回路に関するものである。
【０００２】
【従来の技術】
電源供給及び通信に共用される２線式の通信線を用いた従来の電力線通信用回路として、通信線に所定の周波数を有する信号と直流電源電圧とを重畳させて伝送するものが知られている。このような電力線通信用回路としては、通信線を伝送される伝送信号を送受信する送受信回路を直流阻止用のコンデンサを介して通信線に接続すると共に、通信線から電源供給を受けるための電源回路をインダクタを介して通信線に接続するようにしたものがある（例えば、特許文献１参照。）。
【０００３】
この場合、送受信回路を直流阻止用のコンデンサを介して通信線に接続することにより、所定の周波数を有する伝送信号はハイパスフィルタであるコンデンサを介して通信線と送受信回路との間で送受信可能にされると共に、コンデンサにより直流成分が阻止されて送受信回路に電源電流が流れ込むことが防止される。一方、電源回路をローパスフィルタであるインダクタを介して通信線に接続することにより、所定の周波数を有する伝送信号は、ローパスフィルタであるインダクタによって電源回路に侵入することが抑制されると共に、直流電源電圧はインダクタを介して電源回路に供給される。
【０００４】
【特許文献１】
特開昭６３−３００６８６号公報
【０００５】
【発明が解決しようとする課題】
上記のように、２線式の通信線を用いて伝送信号を伝達する場合には、通信線端での信号反射を抑制したり、通信線上での伝送信号の減衰を抑制したりするため、通信線のインピーダンスを例えば５０Ωや７５Ωに整合する必要がある。また、通信線からの電源供給を受けて電源回路に直流電源電圧を供給するためのインダクタが伝送信号の周波数成分に対してインピーダンスが低い場合には、通信線のインピーダンスが低くされる結果、通信線のインピーダンスが不整合になり、通信線上の伝送品質が低下する。従って、このインダクタは伝送信号の周波数成分に対して高インピーダンスであることが望ましい。
【０００６】
その一方、このインダクタの直流電流に対するインピーダンスが高い場合には、通信線から電源回路に流れる電流がそのインピーダンスにより制限されるので、電源回路が通信線路から受け取ることができる電力量が制限される。従って、このインダクタは直流電流に対して低インピーダンスであることが望ましい。
【０００７】
このように、所定の周波数成分に対して高インピーダンスにすると共に、直流電流に対して低インピーダンスにするためには、インダクタンスが大きく、かつ電流容量の大きなインダクタを用いる必要があるが、このようなインダクタは高コストであり、またサイズも大きいという不都合がある。
【０００８】
また、図７に示すように、抵抗、インダクタ、コンデンサを組み合わせて構成したフィルタにより、伝送信号の周波数成分に対して高インピーダンスであり、直流電源電流に対して低インピーダンスになるフィルタ回路１０１を構成することも考えられる。この場合、例えば、通信ペア線１０４から供給された電源電圧を、フィルタ回路１０１と、ダイオードブリッジ等からなる整流回路１０２とを介して３端子レギュレータ等からなる定電圧回路１０３へ供給し、この定電圧回路１０３により生成された動作電源を送受信回路等へ供給することも考えられる。このようなフィルタ回路１０１を用いた場合には、周波数特性を調整することが容易になるので、単体のインダクタを用いた場合よりも伝送信号の周波数成分に対して高インピーダンスになるフィルタを容易に構成することができる。しかし、直流電源電流に対して低インピーダンスになる特性と両立させるためには、高コストのインダクタやコンデンサが必要になる場合があるという不都合がある。
【０００９】
本発明の目的は、入力インピーダンスが伝送信号の周波数成分に対して高インピーダンスであり直流電源電流に対して低インピーダンスになる電源回路を、インダクタンスが小さいインダクタを用いて構成した電力線通信用回路を提供することである。
【００１０】
【課題を解決するための手段】
請求項１に記載の発明は、電源供給及び通信に共用される２線式の通信線と機器との間に接続され、前記通信線を介して機器間の通信を行うために用いられる電力線通信用回路であって、前記通信線へ信号を送信する送信回路と、前記通信線から信号を受信する受信回路と、前記通信線から電源供給を受けると共に前記送信回路及び前記受信回路のうち少なくとも一つに動作用電源を供給する電源回路とを備え、前記電源回路は、コレクタが前記通信線の他方よりも電圧が高い高電圧側に接続され、エミッタが前記動作用電源を出力するための出力部に第１のインダクタを介して接続された第１のトランジスタと、コレクタが前記通信線の高電圧側よりも電圧が低い低電圧側に接続され、エミッタが第２のインダクタを介して前記出力部に接続された第２のトランジスタとを有するプッシュプルエミッタフォロア出力回路と、前記通信線間の電圧を分圧して所定の基準電圧を生成する分圧抵抗と、前記基準電圧に基づいて前記第１及び第２のトランジスタのベース電圧を生成し、前記プッシュプルエミッタフォロア出力回路の出力部に前記基準電圧に応じた電圧を生じさせる電圧制御回路とを備えることを特徴としている。
【００１１】
請求項１に記載の発明によれば、第１、第２のインダクタの両端電圧の増加減少が、それぞれ第１、第２のトランジスタにより増幅されて、第１、第２のトランジスタを流れる電流を減少増加させるので、第１、第２のインダクタに流れる電流が高周波の場合には、第１、第２のインダクタのインピーダンスが大きくなる結果、その両端電圧が増加し、これが増幅されて第１、第２のトランジスタを流れる電流が減少される。また、第１、第２のインダクタに流れる電流が低周波の場合には、第１、第２のインダクタのインピーダンスが小さくなる結果、その両端電圧が減少し、これが増幅されて第１、第２のトランジスタを流れる電流が増加される。そして、第１、第２のトランジスタを流れる電流によって、通信線間の電圧を分圧して生成された基準電圧に応じた電圧にされた動作用電源が生成される。
【００１２】
従って、第１、第２のインダクタとしてインダクタンスが小さいものを用いた場合であっても、上記のように、その両端電圧の増減が増幅されて第１、第２のトランジスタを流れる電流が増減されるので、高周波数の電流を制限し、低周波数の電流を多く流すことが可能になり、通信線と出力部との間のインピーダンスを伝送信号の周波数成分に対して高インピーダンスであり直流電源電流に対して低インピーダンスにすることが可能になる。そして、その第１、第２のトランジスタを流れる電流を用いて所定の基準電圧に応じた電圧の動作用電源を供給する電源回路が構成される。
【００１３】
請求項２に記載の発明は、請求項１記載の電力線通信用回路において、前記電圧制御回路は、ベースに前記基準電圧が供給され、エミッタが、前記第１のトランジスタのベースに接続されると共に、電流を制限する第１の電流制限手段を介して前記通信線の高電圧側に接続され、コレクタが前記通信線の低電圧側に接続された第３のトランジスタと、ベースに前記基準電圧が導かれ、エミッタが前記第２のトランジスタのベースに接続されると共に、電流を制限する第２の電流制限手段を介して前記通信線の低電圧側に接続され、コレクタが前記通信線の高電圧側に接続された第４のトランジスタとを備えることを特徴としている。
【００１４】
請求項２に記載の発明によれば、第３のトランジスタのベースエミッタ間電圧が、第１のトランジスタのベースから第１のインダクタを介して前記出力部までの電圧と等しくなり、第４のトランジスタのベースエミッタ間電圧が、第２のトランジスタのベースから第２のインダクタを介して前記出力部までの電圧と等しくなる。従って、第１、第２のインダクタの両端電圧の増加減少により、それぞれ第１、第２のトランジスタのベースエミッタ間電圧が減少増加される結果、そのベースエミッタ間電圧の減少増加が増幅されて、第１、第２のトランジスタを流れる電流を減少増加させる。
【００１５】
請求項３に記載の発明は、請求項２記載の電力線通信用回路において、前記第１の電流制限手段及び第２の電流制限手段のうち少なくとも一つは、一定の電流を流す定電流回路であることを特徴としている。
【００１６】
請求項３に記載の発明によれば、定電流回路により電流値が一定にされるので、周波数の高い信号が定電流回路を流れることが抑制される。従って、定電流回路によって構成された第１の電流制限手段及び第２の電流制限手段のうち少なくとも一つが、伝送信号の周波数成分に対して高インピーダンスにされる。
【００１７】
請求項４に記載の発明は、請求項３記載の電力線通信用回路において、前記第１の電流制限手段は、前記動作用電源から第１の定電流を生成する第１の定電流源と、前記通信線の高電圧側と前記第３のトランジスタのエミッタとの間に介設されると共に、前記第１の定電流に応じた定電流を前記第３のトランジスタのエミッタへ出力する第１のカレントミラー回路とを備える定電流回路であることを特徴としている。
【００１８】
請求項４に記載の発明によれば、第１の定電流は、通信線との間のインピーダンスが伝送信号の周波数成分に対して高インピーダンスにされた出力部から出力された動作用電源から第１の定電流源によって生成される。そして、第１のカレントミラー回路は、第１の定電流に応じて一定の電流を、通信線の高電圧側と第３のトランジスタのエミッタとの間に流すので、第１のカレントミラー回路は、通信線から見て伝送信号の周波数成分に対して高インピーダンスにされる。従って、第１のカレントミラー回路を用いた第１の電流制限手段は、伝送信号の周波数成分に対して高インピーダンスにされる。
【００１９】
請求項５に記載の発明は、請求項４記載の電力線通信用回路において、前記第２の電流制限手段は、前記動作用電源から第２の定電流を生成する第２の定電流源と、前記通信線の低電圧側と前記第４のトランジスタのエミッタとの間に介設されると共に、前記第２の定電流に応じた定電流を前記第４のトランジスタのエミッタへ出力する第２のカレントミラー回路とを備える定電流回路であることを特徴としている。
【００２０】
請求項５に記載の発明によれば、第２の定電流は、通信線との間のインピーダンスが伝送信号の周波数成分に対して高インピーダンスにされた出力部から出力された動作用電源から第２の定電流源によって生成される。そして、第２のカレントミラー回路は、第２の定電流に応じて一定の電流を、第４のトランジスタのエミッタと通信線の低電圧側との間に流すので、第２のカレントミラー回路は、通信線から見て伝送信号の周波数成分に対して高インピーダンスにされる。従って、第２のカレントミラー回路を用いた第２の電流制限手段は、伝送信号の周波数成分に対して高インピーダンスにされる。
【００２１】
請求項６に記載の発明は、請求項５記載の電力線通信用回路において、前記第２のカレントミラー回路は、第１のミラー出力トランジスタと、第２のミラー出力トランジスタとを備えた２連出力形のカレントミラー回路であり、前記第１のミラー出力トランジスタは、前記通信線の低圧側と前記第１のカレントミラー回路との間に介設され、前記第２のミラー出力トランジスタは、前記通信線の低圧側と前記第４のトランジスタのエミッタとの間に介設され、前記第１の定電流源は、前記第１のミラー出力トランジスタにより流された電流を、前記第１の定電流として前記第１のカレントミラー回路に流すものであることを特徴としている。
【００２２】
請求項６に記載の発明によれば、第２のカレントミラー回路は、第１のミラー出力トランジスタと第２のミラー出力トランジスタとを備えた２連出力形のカレントミラー回路にされている。そして、第１のミラー出力トランジスタによって、第２の定電流源から出力された第２の定電流に応じた一定の電流が、第１の定電流として第１のカレントミラー回路に流される。さらに、第１のカレントミラー回路によって、第１の定電流に応じた一定の電流が、通信線の高電圧側と第３のトランジスタのエミッタとの間に流される。また、第２のミラー出力トランジスタによって、第２の定電流源から出力された第２の定電流に応じた一定の電流が、第４のトランジスタのエミッタと通信線の低電圧側との間に流される。
【００２３】
請求項７に記載の発明は、請求項６記載の電力線通信用回路において、前記第１のカレントミラー回路と前記第１のミラー出力トランジスタとの間に、ベースが前記出力部に接続された第５のトランジスタが介設されたことを特徴としている。
【００２４】
請求項７に記載の発明によれば、前記第５のトランジスタにより、第１のカレントミラー回路から第１のミラー出力トランジスタへ流れる電流が制限されるので、第１のミラー出力トランジスタに印加される電圧が軽減される。
【００２５】
請求項８に記載の発明は、請求項２〜７のいずれかに記載の電力線通信用回路において、前記通信線の高電圧側と前記第１の電流制限手段との間、及び前記通信線の低電圧側と前記第２の電流制限手段との間の少なくとも１箇所に、前記信号が有する周波数成分に対して高インピーダンスになるフィルタが介設されたことを特徴としている。
【００２６】
請求項８に記載の発明によれば、前記定電流回路は、前記信号が有する周波数成分に対して高インピーダンスになるフィルタを介して前記通信線と接続されるので、前記通信線から見た前記定電流回路の入力インピーダンスが、前記信号が有する周波数成分に対して高インピーダンスにされる。
【００２７】
【発明の実施の形態】
（第１実施形態）
以下、本発明の第１の実施形態による電力線通信用回路について図面を参照しながら説明する。図１は、本発明の第１の実施形態による電力線通信用回路を用いた通信システムの構成の一例を示すブロック図である。
【００２８】
図１に示す通信システムは、２線式の通信線１０Ｌ，１０Ｈ、通信電源供給用ＤＣ電圧源１、終端抵抗２、複数の電力線通信用回路３ａ〜３ｃ及び複数の機器４ａ〜４ｃを備える。通信線１０Ｌ，１０Ｈは、電源供給及び通信に共用されるペア線から構成され、終端抵抗２により終端される。一方の通信線１０ＨはＤＣ電圧源１の高電位側に接続され、他方の通信線１０ＬはＤＣ電圧源１の低電位側に接続され、ＤＣ電圧源１は通信線１０Ｌ，１０Ｈを介して電力線通信用回路３ａ〜３ｃに直流電源電圧Ｖｄｃを供給する。
【００２９】
各電力線通信用回路３ａ〜３ｃは、接続された機器４ａ〜４ｃから送信される送信データを送信信号に変換して通信線１０Ｌ，１０Ｈへ送信し、通信線１０Ｌ，１０Ｈから受信した受信信号を受信データに復元して機器４ａ〜４ｃへ送信し、機器４ａ〜４ｃ間の通信が行われる。なお、図１では、電力線通信用回路３ａ〜３ｃ及び機器４ａ〜４ｃの数として、それぞれ３個の場合を図示しているが、この例に特に限定されず、２個又は４個以上のいずれの場合でも本発明を同様に適用することができる。
【００３０】
電力線通信用回路３ａは、電源回路５ａ、送信回路６ａ、受信回路７ａ及び制御回路８ａを備える。なお、他の電力線通信用回路３ｂ，３ｃも、下記の電力線通信用回路３ａと同様に構成され同様に動作する。
【００３１】
送信回路６ａは、コンデンサ１１ａ，１２ａを介して通信線１０Ｌ，１０Ｈに接続され、受信回路７ａは、コンデンサ１３ａ，１４ａを介して通信線１０Ｌ，１０Ｈに接続される。
【００３２】
このため、送信回路６ａから出力された送信信号は、コンデンサ１１ａ，１２ａによりそのＤＣ（直流）成分がカットされて通信線１０Ｌ，１０Ｈへ出力され、通信線１０Ｌ，１０Ｈ上でＤＣ電圧源１により出力された直流電源電圧Ｖｄｃと重畳され、伝送される。また、通信線１０Ｌ，１０Ｈ上に出力された送信信号は、コンデンサ１３ａ，１４ａによりそのＤＣ（直流）成分、すなわち直流電源電圧Ｖｄｃがカットされた後、受信回路７ａによって受信される。
【００３３】
制御回路８ａは、機器４ａから出力される送信データＡを受信し、所定の通信プロトコル等の通信規約に従ってパルス信号に変換するとともに、タイミング調整を行ってパルス信号Ｂを送信回路６ａへ出力する。送信回路６ａは、制御回路８ａから出力されるパルス信号Ｂを送信信号Ｃ１，Ｃ２に変換して、送信信号Ｃ１を一方の通信線１０Ｈへ出力するとともに、送信信号Ｃ２を他方の通信線１０Ｌに出力する。
【００３４】
送信信号Ｃ１，Ｃ２としては、例えば互いに極性が反転した信号を用いてもよく、あるいは互いに位相がずれた信号を用いても良い。また、送信回路６ａは、例えば制御回路８ａから出力されたパルス信号を所定の搬送波周波数で周波数変調した信号を、送信信号Ｃ１，Ｃ２として出力する構成であっても良い。
【００３５】
受信回路７ａは、通信線１０Ｌ，１０Ｈからの信号すなわち通信線１０Ｈから受信信号Ｄ１及び通信線１０Ｌから受信信号Ｄ２を受信し、パルス信号Ｅに変換して制御回路８ａに出力する。受信回路７ａは、例えば受信信号Ｄ１と受信信号Ｄ２との電位差を検知して、その電位差に応じてパルス信号Ｅを生成するものであってもよく、例えば受信信号Ｄ１と受信信号Ｄ２との間の位相差に応じてパルス信号Ｅを生成するものであってもよく、例えば周波数変調された信号を所定の搬送波周波数で復調してパルス信号Ｅを生成するものであってもよく、あるいは他の信号処理により受信信号Ｄ１，Ｄ２から制御回路８ａにおいて処理可能なパルス信号Ｅを生成するものであっても良い。
【００３６】
他の送信回路６ｂ，６ｃ及び受信回路７ｂ，７ｃも、それぞれ上記の送信回路６ａ、受信回路７ａと同様に構成され同様に動作する。
【００３７】
また、制御回路８ａは、受信回路７ａから出力されるパルス信号Ｅを受信し、所定の通信プロトコル等の通信規約に従って受信データに変換するとともに、タイミング調整等を行って受信データＦを機器４ａに出力する。機器４ａは、受信した受信データＦを用いて所定の処理等を行う。なお、他の制御回路８ｂ，８ｃも、上記の制御回路８ａと同様に構成され同様に動作する。
【００３８】
電源回路５ａは、通信線１０Ｌ，１０Ｈから電源供給を受け、通信用回路全体にＤＣ電源電圧Ｖｏｕｔを供給する。また、電源回路５ａは、機器４ａの動作用電源として、ＤＣ電源電圧Ｖｏｕｔを供給する構成であっても良い。
【００３９】
図２は、図１に示す電源回路５ａの構成の一例を示す回路図である。図２に示す電源回路５ａは、通信線１０Ｈに接続された高電圧側ライン１５と、低電圧側の通信線である通信線１０Ｌに接続されたグラウンドライン１６と、コレクタが高電圧側ライン１５に接続され、エミッタが、ＤＣ電源電圧Ｖｏｕｔが出力される出力部１７にインダクタＬ１を介して接続されたＮＰＮトランジスタＱ１と、コレクタがグラウンドライン１６に接続され、エミッタが出力部１７にインダクタＬ２を介して接続されたＰＮＰトランジスタＱ２とを有するプッシュプルエミッタフォロア出力回路１８とを備える。また、インダクタＬ１，Ｌ２のインダクタンスは、それぞれＬ１，Ｌ２にされている。
【００４０】
また、図２に示す電源回路５ａは、高電圧側ライン１５とグラウンドライン１６との間に直列に接続された抵抗Ｒ３及び抵抗Ｒ４とを備える。そして、抵抗Ｒ３と抵抗Ｒ４との接続点に、高電圧側ライン１５とグラウンドライン１６との間の電圧が分圧された基準電圧Ｖｒｅｆが生成される。また、抵抗Ｒ３と抵抗Ｒ４との接続点と、グラウンドライン１６との間にコンデンサ１９が接続されている。そして、コンデンサ１９によって、基準電圧Ｖｒｅｆに含まれる高周波成分が除去され、基準電圧Ｖｒｅｆが安定化される。
【００４１】
また、図２に示す電源回路５ａは、ベースが抵抗Ｒ３と抵抗Ｒ４との接続点に接続され、エミッタが、トランジスタＱ１のベースに接続されると共に、電流を制限する抵抗Ｒ１を介して高電圧側ライン１５に接続され、コレクタがグラウンドライン１６に接続されたＰＮＰトランジスタＱ３と、ベースが抵抗Ｒ３と抵抗Ｒ４との接続点に接続され、エミッタが、トランジスタＱ２のベースに接続されると共に、電流を制限する抵抗Ｒ２を介してグラウンドライン１６に接続され、コレクタが高電圧側ライン１５に接続されたＮＰＮトランジスタＱ４とを有する電圧制御回路２０を備える。なお、抵抗Ｒ１，Ｒ２，Ｒ３，Ｒ４の抵抗値は、それぞれＲ１，Ｒ２，Ｒ３，Ｒ４にされている。
【００４２】
なお、他の電源回路５ｂ，５ｃも、上記の電源回路５ａと同様に構成され同様に動作する。
【００４３】
次に、上記のように構成された電源回路５ａの動作について説明する。まず、ＤＣ電圧源１から通信線１０Ｌ，１０Ｈ間へ直流電源電圧Ｖｄｃが供給され、さらに、送信回路６ａ，６ｂ，６ｃのいずれかから通信線１０Ｌ，１０Ｈへ出力された送信信号Ｃ１，Ｃ２が、直流電源電圧Ｖｄｃに重畳される。
【００４４】
次に、送信信号Ｃ１，Ｃ２が直流電源電圧Ｖｄｃに重畳されることにより、通信線１０Ｌ，１０Ｈ間に生じたライン間電圧Ｖｉｎが、グラウンドライン１６と高電圧側ライン１５との間に供給される。そして、抵抗Ｒ３と抵抗Ｒ４とによってライン間電圧Ｖｉｎが分圧され、抵抗Ｒ３と抵抗Ｒ４との接続点に基準電圧Ｖｒｅｆが生じる。この場合、Ｖｒｅｆ＝Ｖｉｎ×Ｒ４／（Ｒ３＋Ｒ４）となる。さらに、コンデンサ１９によって、基準電圧Ｖｒｅｆに含まれる高周波成分が除去され、基準電圧Ｖｒｅｆが安定化される。
【００４５】
従って、基準電圧Ｖｒｅｆの値は、抵抗Ｒ３及び抵抗Ｒ４の抵抗値の比率によって決まるため、抵抗Ｒ３及び抵抗Ｒ４として抵抗値の大きな抵抗を用いることができ、すなわち高電圧側ライン１５から抵抗Ｒ３及び抵抗Ｒ４を介してグラウンドライン１６に到る経路のインピーダンスを大きくすることができる。
【００４６】
次に、電圧制御回路２０によって、プッシュプルエミッタフォロア出力回路１８の出力電圧が、基準電圧Ｖｒｅｆとほぼ等しい電圧に制御される。具体的には、高電圧側ライン１５から抵抗Ｒ１、トランジスタＱ３のエミッタ、ベースを経て抵抗Ｒ３と抵抗Ｒ４との接続点に到る経路に電流が流れ、この電流によりトランジスタＱ３のベースエミッタ間電圧ＶｂｅＱ３が生じる。一方、抵抗Ｒ３と抵抗Ｒ４との接続点からトランジスタＱ４のベース、エミッタ、抵抗Ｒ２を経てグラウンドライン１６に到る経路に電流が流れ、この電流によりトランジスタＱ４のベースエミッタ間電圧ＶｂｅＱ４が生じる。
【００４７】
この場合、トランジスタＱ１のベース電圧としてＶｒｅｆ＋ＶｂｅＱ３が印加され、トランジスタＱ１のエミッタには、ベース電圧からトランジスタＱ１のベースエミッタ間電圧ＶｂｅＱ１だけ低い電圧が出力されるので、トランジスタＱ１のエミッタの電圧は、Ｖｒｅｆ＋ＶｂｅＱ３−ＶｂｅＱ１となる。一方、トランジスタＱ２のベース電圧としてＶｒｅｆ−ＶｂｅＱ４が印加され、トランジスタＱ２のエミッタの電圧は、Ｖｒｅｆ−ＶｂｅＱ４＋ＶｂｅＱ２となる。そして、ＤＣ電源電圧Ｖｏｕｔは、トランジスタＱ１のエミッタの電圧とトランジスタＱ２のエミッタの電圧との中間にされるので、Ｖｏｕｔ＝（Ｖｒｅｆ＋ＶｂｅＱ３−ＶｂｅＱ１＋Ｖｒｅｆ−ＶｂｅＱ４＋ＶｂｅＱ２）／２となる。ここで、ＶｂｅＱ１≒ＶｂｅＱ２、ＶｂｅＱ３≒ＶｂｅＱ４となるので、Ｖｏｕｔ≒Ｖｒｅｆとなる。これにより、出力部１７から基準電圧Ｖｒｅｆにほぼ等しいＤＣ電源電圧Ｖｏｕｔが出力される。
【００４８】
従って、電源回路５ａは、抵抗Ｒ３と抵抗Ｒ４との抵抗値の比率を設定することにより、基準電圧Ｖｒｅｆを、送信回路６ａや受信回路７ａ等の通信用回路や機器４ａ等を動作させるために適した電圧にすることができ、その基準電圧Ｖｒｅｆにほぼ等しいＤＣ電源電圧Ｖｏｕｔを通信用回路等へ動作用電源として供給することができる。
【００４９】
さらに、インダクタＬ１のインピーダンスは、直流電流に対してはインピーダンスがほぼ零になる一方、流れる電流の周波数を角周波数ωとすると、ｊωＬ１のインピーダンスを生じる。従って、トランジスタＱ１のコレクタ電流をＩｃＱ１とすると、
2004260395.tif 000003
の関係が成立する。
【００５０】
今、トランジスタＱ３のベースエミッタ間電流は、抵抗Ｒ１と基準電圧Ｖｒｅｆとにより決定され、一定の電流値にされるので、トランジスタＱ３のベースエミッタ間電圧ＶｂｅＱ３は一定の電圧にされる。そのため、式（１）において、流れる電流の周波数が高くなると、ｊωＬ１×ＩｃＱ１が増加し、その増加した分だけＶｂｅＱ１が減少する。ＶｂｅＱ１が減少すると、式（２）において、ＶｂｅＱ１の減少に対してトランジスタＱ１のコレクタ電流ＩｃＱ１が指数関数的に減少する。
【００５１】
従って、流れる電流の高周波成分に対するインダクタＬ１の両端電圧ｊωＬ１の増加が指数関数的に増幅されてトランジスタＱ１のコレクタ電流ＩｃＱ１が減少させられるので、高周波数の電流を制限し、低周波数の電流を多く流す効果が向上される。これにより、電源回路５ａを、インダクタンスが小さいインダクタを用いて通信線１０Ｌ，１０Ｈを伝送される周波数が高い伝送信号に対して高インピーダンスにし、直流電源電流に対して低インピーダンスにすることができる。
【００５２】
なお、電圧制御回路２０は、基準電圧Ｖｒｅｆに基づいてトランジスタＱ１及びトランジスタＱ２のベース電圧を生成し、プッシュプルエミッタフォロア出力回路１８から基準電圧Ｖｒｅｆに応じた電圧値のＤＣ電源電圧Ｖｏｕｔを出力させるものであれば良く、例えばトランジスタＱ１，Ｑ２，Ｑ３，Ｑ４の代わりにダーリントン接続のトランジスタを用いたり、例えばトランジスタＱ３，Ｑ４のたすきがけ接続の代わりにダイオードを用いるなど、プッシュプルのエミッタフォロア出力回路を用いた電流増強回路として知られている種々の変形が可能である。
【００５３】
また、プッシュプルエミッタフォロア出力回路１８は、インダクタＬ１及びインダクタＬ２の代わりに、インダクタＬ１と抵抗の直列回路及びインダクタＬ２と抵抗の直列回路を用いる等の変形がされたものであってもよい。
【００５４】
（第２実施形態）
以下、本発明の第２の実施形態による電力線通信用回路について図面を参照しながら説明する。図３は、本発明の第２の実施形態による電力線通信用回路に用いられる電源回路５ａの構成の一例を示す回路図である。なお、図２に示す電源回路５ａと同様の部分には同一符号を付している。また、本発明の第２の実施形態による電力線通信用回路の構成の一例を示す回路図を、図１に示す。以下の実施形態においても同様である。
【００５５】
図３に示す電源回路５ａと図２に示す電源回路５ａとでは、下記の点で異なる。すなわち、図３に示す電源回路５ａでは、抵抗Ｒ１の代わりに定電流源ＣＳ１が用いられ、抵抗Ｒ２の代わりに定電流源ＣＳ２が用いられる。その他の構成は図２に示す電源回路５ａとほぼ同様であるので、以下本実施の形態の特徴的な点について説明する。
【００５６】
まず、図２に示す電源回路５ａにおいては、通信線１０Ｈから取り込まれた電流が、高電圧側ライン１５から抵抗Ｒ１とトランジスタＱ３とを経由してグラウンドライン１６へ流れる経路と、高電圧側ライン１５からトランジスタＱ４と抵抗Ｒ２とを経由してグラウンドライン１６へ流れる経路とがある。トランジスタＱ３を経由する電流は、抵抗Ｒ１の抵抗値によってその電流が制限され、トランジスタＱ４を経由する電流は、抵抗Ｒ２の抵抗値によってその電流が制限される。また、抵抗Ｒ１，Ｒ２は、それぞれトランジスタＱ１，Ｑ２のベース電流を供給する。トランジスタＱ１，Ｑ２のベース電流は、通信用回路等へ供給される動作用電源の電流値に対応して決定されるので、抵抗Ｒ１，Ｒ２の抵抗値は、そのベース電流をトランジスタＱ１，Ｑ２に流すことができる抵抗値の範囲にされる。そのため、抵抗Ｒ１，Ｒ２の抵抗値を大きな値にすることができない場合がある。この場合、通信線１０Ｌ，１０Ｈから見た電源回路５ａの入力インピーダンスが低インピーダンスにされる場合がある。
【００５７】
一方、図３に示す電源回路５ａにおいては、高電圧側ライン１５から定電流源ＣＳ１とトランジスタＱ３とを経由してグラウンドライン１６へ流れる経路と、高電圧側ライン１５からトランジスタＱ４と定電流源ＣＳ２とを経由してグラウンドライン１６へ流れる経路とがある。この場合、トランジスタＱ３を経由する電流は、定電流源ＣＳ１によってその電流が一定の電流値に制限され、トランジスタＱ４を経由する電流は、定電流源ＣＳ２によってその電流が一定の電流値に制限される。
【００５８】
この場合、高周波数の伝送信号は、その周波数に応じた電流の変動を伴うため、定電流源ＣＳ１，ＣＳ２を流れる電流が一定の電流値に制限されることによりライン間電圧Ｖｉｎに含まれる伝送信号の周波数成分がトランジスタＱ３，Ｑ４を経由して流れることが抑制される。これにより、高電圧側ライン１５から定電流源ＣＳ１とトランジスタＱ３とを経由してグラウンドライン１６へ流れる経路と、高電圧側ライン１５からトランジスタＱ４と定電流源ＣＳ２とを経由してグラウンドライン１６へ流れる経路とを、通信線１０Ｌ，１０Ｈを伝送される伝送信号に対して高インピーダンスにすることができる。
【００５９】
（第３実施形態）
以下、本発明の第３の実施形態による電力線通信用回路について図面を参照しながら説明する。図４は、本発明の第３の実施形態による電力線通信用回路に用いられる電源回路５ａの構成の一例を示す回路図である。なお、図３に示す電源回路５ａと同様の部分には同一符号を付している。
【００６０】
図４に示す電源回路５ａと図３に示す電源回路５ａとでは、下記の点で異なる。すなわち、図４に示す電源回路５ａにおいては、定電流源ＣＳ２がＮＰＮトランジスタＱ５，Ｑ７、及び定電流源ＣＳ３（第２の定電流源）によって構成され、定電流源ＣＳ１がＮＰＮトランジスタＱ６、ＰＮＰトランジスタＱ８，Ｑ９、及びＮＰＮトランジスタＱ１０によって構成されている。また、トランジスタＱ１のベースコレクタ間にはバイアス用の抵抗Ｒ５が接続されている。
【００６１】
その他の構成は図３に示す電源回路５ａとほぼ同様であるので、以下本実施の形態の特徴的な点について説明する。
【００６２】
抵抗Ｒ５は、通信線１０Ｌ，１０Ｈから電源回路５ａへの電源供給の開始時に、トランジスタＱ１のバイアス電流を供給するためのバイアス抵抗である。
【００６３】
図４に示す定電流源ＣＳ２においては、出力部１７とトランジスタＱ５のコレクタ間に一定の電流を流す定電流源ＣＳ３を備える。また、トランジスタＱ５は、ベースとコレクタが結合されたダイオード接続にされ、ベースがトランジスタＱ７のベースに接続され、エミッタがグラウンドライン１６に接続されている。また、トランジスタＱ７は、コレクタがトランジスタＱ４のエミッタに接続され、エミッタがグラウンドライン１６に接続されている。
【００６４】
これにより、トランジスタＱ５とトランジスタＱ７とはカレントミラー回路にされており、定電流源ＣＳ３から出力された電流に応じて、高電圧側ライン１５からトランジスタＱ４とトランジスタＱ７とを経由してグラウンドライン１６へ一定の電流を流すことができる。また、定電流源ＣＳ３は、伝送信号に対して高インピーダンスにされた出力部１７から出力されたＤＣ電源電圧Ｖｏｕｔを用いてカレントミラー回路へ出力する定電流を生成するので、通信線１０Ｌ，１０Ｈを伝送される伝送信号の周波数成分に対して高インピーダンスにされる。
【００６５】
また、図４に示す定電流源ＣＳ１において、トランジスタＱ６は、ベースがトランジスタＱ５のベースに接続され、エミッタがグラウンドライン１６に接続されている。これにより、トランジスタＱ５，Ｑ６，Ｑ７は、トランジスタＱ６とＱ７とを出力トランジスタとする２連出力形のカレントミラー回路（第２のカレントミラー回路）にされている。そして、トランジスタＱ６のコレクタは、トランジスタＱ１０を介してトランジスタＱ８のコレクタに接続され、トランジスタＱ６は、定電流源ＣＳ３から出力された電流に応じて一定の電流を、トランジスタＱ８のコレクタからトランジスタＱ１０とトランジスタＱ６とを経由してグラウンドライン１６へ流すことができる。
【００６６】
また、トランジスタＱ８は、ベースとコレクタが結合されたダイオード接続にされ、ベースがトランジスタＱ９のベースに接続され、エミッタが高電圧側ライン１５に接続されている。また、トランジスタＱ９は、コレクタがトランジスタＱ３のエミッタに接続され、エミッタが高電圧側ライン１５に接続されている。
【００６７】
これにより、トランジスタＱ８とトランジスタＱ９とはカレントミラー回路（第１のカレントミラー回路）にされており、トランジスタＱ６によって流された電流に応じて、高電圧側ライン１５からトランジスタＱ９とトランジスタＱ３とを経由してグラウンドライン１６へ一定の電流を流すことができる。
【００６８】
この場合、トランジスタＱ６を、トランジスタＱ８とトランジスタＱ９とからなるカレントミラー回路に一定の電流を出力するための定電流源（第１の定電流源）として用いることができるので、回路を簡略化することができる。
【００６９】
なお、通信線１０Ｌ，１０Ｈから電源回路５ａへの電源供給の開始時には、出力部１７からＤＣ電源電圧Ｖｏｕｔが出力されていないため、定電流源ＣＳ３はトランジスタＱ５，Ｑ６，Ｑ７からなるカレントミラー回路へ電流を出力することができず、従って、プッシュプルエミッタフォロア出力回路１８からＤＣ電源電圧Ｖｏｕｔを出力させることができない。そこで、通信線１０Ｌ，１０Ｈから電源回路５ａへの電源供給の開始時に、抵抗Ｒ５によってトランジスタＱ１のバイアス電流を供給し、トランジスタＱ１をオンさせることによりＤＣ電源電圧Ｖｏｕｔの出力を開始させるようにされている。
【００７０】
抵抗Ｒ５の抵抗値が大きい場合、通信線１０Ｌ，１０Ｈから電源回路５ａへの電源供給の開始時にＤＣ電源電圧Ｖｏｕｔの立ち上がりが遅くなるが、ＤＣ電源電圧Ｖｏｕｔの出力が開始されることによって、定電流源ＣＳ３による電流出力が開始され、トランジスタＱ５，Ｑ６，Ｑ７からなるカレントミラー回路と、トランジスタＱ８とトランジスタＱ９とからなるカレントミラー回路とから定電流出力がされるので、抵抗Ｒ５を高抵抗にすることができ、電源回路５ａの入力インピーダンスが抵抗Ｒ５により低下されることを抑制できる。
【００７１】
トランジスタＱ１０は、コレクタがトランジスタＱ８のコレクタに、エミッタがトランジスタＱ６のコレクタに、ベースが出力部１７に接続されている。この場合、トランジスタＱ１０のベースエミッタ間電圧は、ほぼ０．７Ｖ程度であり、トランジスタＱ１０のエミッタ電圧、すなわちトランジスタＱ６のコレクタ電圧がおよそ（ＤＣ電源電圧Ｖｏｕｔ−０．７Ｖ）を越える場合にはトランジスタＱ１０がオフする。従って、トランジスタＱ６に、およそ（ＤＣ電源電圧Ｖｏｕｔ−０．７Ｖ）以上の電圧が印加されることが防止される。
【００７２】
これにより、トランジスタＱ６、およびトランジスタＱ６との間でカレントミラー回路を構成しているトランジスタＱ５，Ｑ７として、耐圧の低いトランジスタを用いることができ、低コスト化することができる。
【００７３】
（第４実施形態）
以下、本発明の第４の実施形態による電力線通信用回路について図面を参照しながら説明する。図５は、本発明の第４の実施形態による電力線通信用回路に用いられる電源回路５ａの構成の一例を示す回路図である。なお、図４に示す電源回路５ａと同様の部分には同一符号を付している。
【００７４】
図５に示す電源回路５ａと図４に示す電源回路５ａとでは、下記の点で異なる。すなわち、図５に示す電源回路５ａにおいては、トランジスタＱ８とトランジスタＱ９との並列回路と、高電圧側ライン１５との間にフィルタ２１ａが介設されている。フィルタ２１ａは、インダクタ２２とコンデンサ２３との並列回路から構成される帯域阻止フィルタである。その他の構成は図４に示す電源回路５ａとほぼ同様であるので、以下本実施の形態の特徴的な点について説明する。
【００７５】
まず、図４に示す電源回路５ａにおいては、高電圧側ライン１５からトランジスタＱ９、トランジスタＱ３を介してグラウンドライン１６へ流れる電流経路、高電圧側ライン１５からトランジスタＱ８，Ｑ１０，Ｑ６を介してグラウンドライン１６へ流れる電流経路、及び高電圧側ライン１５からトランジスタＱ４、トランジスタＱ７を介してグラウンドライン１６へ流れる電流経路では、その電流経路中の各トランジスタが有する寄生容量によって高周波電流が流れる結果、伝送信号の周波数成分に対する電源回路５ａの入力インピーダンスが低下する場合がある。
【００７６】
一方、図５に示す電源回路５ａにおいては、フィルタ２１ａのインピーダンスを伝送信号の周波数成分に対して高インピーダンスにするべくインダクタ２２のインダクタンスとコンデンサ２３の容量とを設定することにより、高電圧側ライン１５からトランジスタＱ９、トランジスタＱ３を介してグラウンドライン１６へ流れる電流経路、及び高電圧側ライン１５からトランジスタＱ８，Ｑ１０，Ｑ６を介してグラウンドライン１６へ流れる電流経路の伝送信号の周波数成分に対する入力インピーダンスを高インピーダンスにすることができる。
【００７７】
また、トランジスタＱ７のエミッタとグラウンドライン１６との間にフィルタ２１ａが介設される構成としても良い。この場合、高電圧側ライン１５からトランジスタＱ４、トランジスタＱ７を介してグラウンドライン１６へ流れる電流経路の伝送信号の高周波数成分に対する入力インピーダンスを高インピーダンスにすることができる。
【００７８】
なお、フィルタ２１ａの代わりに図６に示すフィルタ２１ｂを用いても良い。フィルタ２１ｂは、高電圧側ライン１５とトランジスタＱ９との間にインダクタ２４が介設されたもので、トランジスタＱ９に流れる電流の周波数が高くなるほどインダクタ２４のインピーダンスが高くなり、従ってトランジスタＱ９に流れる電流が減少すると共にトランジスタＱ９のベースエミッタ間電圧が小さくされる。これにより、高電圧側ライン１５からトランジスタＱ９、トランジスタＱ３を介してグラウンドライン１６へ流れる電流経路のインピーダンスを、伝送信号の高周波数成分に対して高インピーダンスにすることができる。
【００７９】
なお、高電圧側ライン１５とトランジスタＱ８との間、あるいはトランジスタＱ７のエミッタとグラウンドライン１６との間にインダクタを介設する構成であっても良い。この場合、それぞれ高電圧側ライン１５からトランジスタＱ８，Ｑ１０，Ｑ６を介してグラウンドライン１６へ流れる電流経路、及び高電圧側ライン１５からトランジスタＱ４、トランジスタＱ７を介してグラウンドライン１６へ流れる電流経路の伝送信号の高周波数成分に対する入力インピーダンスを高インピーダンスにすることができる。
【００８０】
以上、図２〜図５に示す電源回路５ａにより、伝送信号の周波数成分に対して高インピーダンスであり直流電源電流に対して低インピーダンスになる電源回路を、インダクタンスが小さいインダクタを用いて構成することができる。また、伝送信号の周波数成分に対して入力インピーダンスが高い電源回路５ａを構成することができるので、通信線１０Ｌ，１０Ｈに接続して良好に通信を行うことができる電力線通信用回路の数を増加させることができる。
【００８１】
【発明の効果】
請求項１に記載の発明によれば、入力インピーダンスが、伝送信号の周波数成分に対して高インピーダンスであり直流電源電流に対して低インピーダンスになる電源回路を、インダクタンスが小さいインダクタを用いて構成することができる。
【００８２】
請求項２に記載の発明によれば、第１、第２のインダクタの両端電圧の増加減少が、それぞれ第１、第２のトランジスタのベースエミッタ間電圧を減少増加させる結果、そのベースエミッタ間電圧の減少増加が増幅されるので、伝送信号の周波数成分に対する第１、第２のインダクタの両端電圧の増加が増幅されて第１、第２のトランジスタを流れるこの周波数成分の電流を減少させることができる。
【００８３】
請求項３に記載の発明によれば、定電流回路によって構成された第１の電流制限手段及び第２の電流制限手段のうち少なくとも一つを、伝送信号の周波数成分に対して高インピーダンスにすることができる。
【００８４】
請求項４に記載の発明によれば、第１の電流制限手段を、伝送信号の周波数成分に対して高インピーダンスにすることができる。
【００８５】
請求項５に記載の発明によれば、第２の電流制限手段を、伝送信号の周波数成分に対して高インピーダンスにすることができる。
【００８６】
請求項６に記載の発明によれば、第１のミラー出力トランジスタを前記第１の定電流源として用いることができるので、回路を簡略化することができる。
【００８７】
請求項７に記載の発明によれば、第１のミラー出力トランジスタに印加される電圧が軽減されるので、第１のミラー出力トランジスタとして耐圧が低いトランジスタを用いることが可能となり、低コスト化できる。
【００８８】
請求項８に記載の発明によれば、前記通信線から見た前記定電流回路の入力インピーダンスを、伝送信号の周波数成分に対して高インピーダンスにすることができる。
【図面の簡単な説明】
【図１】本発明の一実施の形態による電力線通信用回路を用いた通信システムの構成の一例を示すブロック図である。
【図２】本発明の第１の実施形態による電力線通信用回路に用いられる電源回路の構成の一例を示す回路図である。
【図３】本発明の第２の実施形態による電力線通信用回路に用いられる電源回路の構成の一例を示す回路図である。
【図４】本発明の第３の実施形態による電力線通信用回路に用いられる電源回路の構成の一例を示す回路図である。
【図５】本発明の第４の実施形態による電力線通信用回路に用いられる電源回路の構成の一例を示す回路図である。
【図６】図５に示す電源回路に用いられるフィルタの一例を示す回路図である。
【図７】従来例による電源回路の一例を示す回路図である。
【符号の説明】
１            ＤＣ電圧源
２            終端抵抗
３ａ，３ｂ，３ｃ                電力線通信用回路
４ａ，４ｂ，４ｃ                機器
５ａ，５ｂ，５ｃ                電源回路
６ａ，６ｂ，６ｃ                送信回路
７ａ，７ｂ，７ｃ                受信回路
８ａ，８ｂ，８ｃ                制御回路
１０Ｌ，１０Ｈ    通信線
１１ａ，１２ａ    コンデンサ
１３ａ，１４ａ    コンデンサ
１５        高電圧側ライン
１６        グラウンドライン
１７        出力部
１８        プッシュプルエミッタフォロア出力回路
２０        電圧制御回路
２１ａ，２１ｂ    フィルタ
ＣＳ１，ＣＳ２，ＣＳ３    定電流源
Ｌ１        インダクタ（第１のインダクタ）
Ｌ２        インダクタ（第２のインダクタ）
Ｑ１        トランジスタ（第１のトランジスタ）
Ｑ２        トランジスタ（第２のトランジスタ）
Ｑ３        トランジスタ（第３のトランジスタ）
Ｑ４        トランジスタ（第４のトランジスタ）
Ｑ５        トランジスタ
Ｑ６        トランジスタ（第１のミラー出力トランジスタ，第１の定電流源）
Ｑ７        トランジスタ（第２のミラー出力トランジスタ）
Ｑ８        トランジスタ
Ｑ９        トランジスタ
Ｑ１０    トランジスタ（第５のトランジスタ）
Ｒ１        抵抗（第１の電流制限手段）
Ｒ２        抵抗（第２の電流制限手段）
Ｒ３，Ｒ４            抵抗（分圧抵抗）
【図１】
2004260395.tif 000004
【図２】
2004260395.tif 000005
【図３】
2004260395.tif 000006
【図４】
2004260395.tif 000007
【図５】
2004260395.tif 000008
【図６】
2004260395.tif 000009
【図７】
2004260395.tif 000010